(57)【要約】【課題】化粧品などに使用される包装箱において、不正な開封をより確実に防止する。【解決手段】四角筒状の胴部１０の両開口端１７を蓋１６で閉塞して構成される直方体状の、いわゆるサック箱において、蓋１６，１６ａの先端から延びて形成される差込みフラップ２２と、それに対向する壁面１４面とに舌片２３，２１を設ける。したがって、差込みフラップ２２が開口端１７から差し込まれることで該差込みフラップ２２側の舌片２３が対向する壁面側の舌片２１を乗越え、その後に差込みフラップ２２が開口端１７から引抜かれようとすると、舌片２３が舌片２１に係合する。これによって、一旦蓋１６，１６ａを閉じると不正開封を防止できるとともに、その開封の阻止には舌片２１と壁面１４との間に舌片２３が差込まれることになり、舌片２１，２３の相互に重なり合う幅同士で強固な係合構造を実現し、不正開封を確実に防止することができる。【選択図】図１
2016199304.tif 000002
【特許請求の範囲】
【請求項１】
角筒状の胴部と、その胴部の両開口端において前記角筒の一面から延設されて該開口端を閉塞する蓋とを備えて構成される包装箱において、
前記蓋の先端から延びる差込みフラップと、
前記胴部において、前記蓋が延設される面と対向する面の開口端から延び、内側に折返される第１の舌片とを含み、
前記差込みフラップには、切起しによって、その先端側から基端側に向けて延び、蓋を閉めた状態で前記対向する面側に突出している第２の舌片を有することを特徴とする包装箱。
【請求項２】
前記差込みフラップの先端からは、山折りされて、組立て時には該差込みフラップより内方に位置する折返し片を有し、
前記第２の舌片は、前記折返し片の基端付近から切起こされることを特徴とする請求項１記載の包装箱。
【請求項３】
前記折返し片は、前記第２の舌片よりも狭い幅に形成されることを特徴とする請求項２記載の包装箱。
【請求項４】
前記胴部は、偶数の角筒状であることを特徴とする請求項１〜３の何れか１項に記載の包装箱。
【請求項５】
前記対向する面に隣接する２つの面の少なくとも一方の開口端からは、サイドフラップが延設されることを特徴とする請求項４記載の包装箱。
【請求項６】
前記サイドフラップには、前記対向する面側の辺から、９０°折り曲げられて該対向する面と平行に延びる押圧片を有することを特徴とする請求項５記載の包装箱。
【請求項７】
前記差込みフラップの蓋との連結部分において、差込みフラップの少なくとも片方の辺からは切込みが形成され、組立て状態で、該切込みが前記サイドフラップにおける前記対向する面側の辺に係合することを特徴とする請求項５または６記載の包装箱。
【請求項８】
一方の蓋または胴部には、開封のためのミシン目が形成されていることを特徴とする請求項１〜７の何れか１項に記載の包装箱。
【請求項９】
前記ミシン目は、前記蓋に形成されることを特徴とする請求項８記載の包装箱。
【請求項１０】
前記ミシン目は、前記蓋の幅方向の中心から所定距離だけ外側にずれた位置に一対で、該蓋と胴部との連結部分から、該蓋と差込みフラップとの連結部分に亘って形成され、かつ前記蓋と胴部との連結部分は、前記一対のミシン目間に切込みが形成されることを特徴とする請求項９記載の包装箱。
【請求項１１】
前記蓋と胴部との連結部分から、僅かに胴部寄りにオフセットして、前記切込みが形成されていることを特徴とする請求項１０記載の包装箱。
【請求項１２】
前記ミシン目は、前記胴部側から差込みフラップ側となるに連れて、前記所定距離が大きくなってゆくことを特徴とする請求項１０または１１記載の包装箱。
【請求項１３】
化粧品のパッケージとして使用されることを特徴とする請求項１〜１２の何れか１項に記載の包装箱。
【発明の詳細な説明】
【技術分野】
【０００１】
本発明は、化粧品などの収容物の包装に好適に用いられる包装箱に関し、特にその不正な開封を防止するための構造に関する。
【背景技術】
【０００２】
前記の化粧品の包装箱などでは、高価な収容物を万引きなどの被害から守るために、一端開封すると、再封止ができなかったり、開封した痕跡が残るようにする不正開封防止対策が従来から施されている。図６は、特許文献１の包装箱５の構造を示す展開図である。この包装箱５は、大略的に、四角筒状の胴部５０の両開口端５７を蓋５６で閉塞して構成される直方体状の箱で、いわゆるサック箱である。２つの開口端５７側の蓋５６に関する構成は、ほぼ共通であるので、対応する部分には同一の参照符号を付して説明する。
【０００３】
胴部５０は、前記四角筒を形成する相互に連結された４つの壁面５１〜５４と、一端の壁面５４の側辺から延びて形成される糊付け面５５とを備えて構成され、糊付け面５５の表面が、他端の壁面５１の裏面に糊付けされる。胴部５０には、３つの壁面５２〜５４に亘り、開封用のミシン目５０１が形成されている。
【０００４】
この包装箱５において注目すべきは、蓋５６の開封防止の構造である。蓋５６の先端からは、差込みフラップ５８が延びて形成される。この差込みフラップ５８が、蓋５６に連なる第１フラップ５８１と、その第１フラップ５８１の先に延び、山折りされて折返される第２フラップ５８２とを備えて構成される。そして、第２フラップ５８２の先端側には、該第２フラップ５８２の幅方向に延びるスリット５８２１が形成されている。
【０００５】
これに対応して、各開口端５７に設けられる一対のサイドフラップ５９には、組立て状態で差込みフラップ５８に対向する辺５９０は、基端側で、折り畳まれた前記差込みフラップ５８の厚みに対応した幅Ｄ１だけ切欠かれているとともに、遊端側は、切欠かれれずに、前記スリット５８２１に嵌込む係止片５９１となっている。
【０００６】
したがって、胴部５０を組立て、サイドフラップ５９を順次折畳み、差込みフラップ５８を山折りし、蓋５６を折曲げて該差込みフラップ５８を開口端５７に差込むことで、図７の断面で示すように、係止片５９１がスリット５８２１に嵌込み、蓋５６の抜止めが行われる。
【先行技術文献】
【特許文献】
【０００７】
【特許文献１】特開２０１４−１９８５９０号公報
【発明の概要】
【発明が解決しようとする課題】
【０００８】
上述の従来技術は、収容物の大きさや形状に係わらず、つまり収容物で差込みフラップなどを押えたりすることなく、包装箱側の構造だけで、不正開封を防止することができる優れた包装箱である。しかしながら、不正開封防止の構造は、２枚の係止片５９１がスリット５８２１に嵌込み、それが厚み方向に撓まないことで実現しており、蓋５６を少し大きな力で引張ってしまうと、係止片５９１が撓んでスリット５８２１から脱出し、開封できてしまうこともある。
【０００９】
本発明の目的は、不正な開封を、より確実に防止することができる包装箱を提供することである。
【課題を解決するための手段】
【００１０】
本発明の包装箱は、角筒状の胴部と、その胴部の両開口端において前記角筒の一面から延設されて該開口端を閉塞する蓋とを備えて構成される包装箱において、前記蓋の先端から延びる差込みフラップと、前記胴部において、前記蓋が延設される面と対向する面の開口端から延び、内側に折返される第１の舌片とを含み、前記差込みフラップには、切起しによって、その先端側から基端側に向けて延び、蓋を閉めた状態で前記対向する面側に突出している第２の舌片を有することを特徴とする。
【００１１】
上記の構成によれば、角筒状の胴部と、その胴部の両開口端において前記角筒の一面から延設されて該開口端を閉塞する蓋とを備えて構成される、たとえば直方体状の包装箱において、蓋の先端から延びて形成され、胴部において前記対向する面の開口端側に差込まれる差込みフラップと、その対向する面との間に、係合構造を設ける。具体的には、開口端からは内側に折返される第１の舌片を形成し、差込みフラップには、切起しによって、その先端側から基端側に向けて延び、蓋を閉めた状態では前記対向する面側に突出している第２の舌片を形成する。
【００１２】
したがって、差込みフラップが開口端から差し込まれることで第２の舌片が第１の舌片を乗越え、その後に差込みフラップが開口端から引抜かれようとすると、第２の舌片が第１の舌片に係合する。こうして、一旦蓋を閉じると、不正な開封を防止することができるとともに、その開封の阻止には、第１の舌片と対向する面との間に第２の舌片が差込まれることになり、第１および第２の舌片において、相互に重なり合う幅同士で、強固な係合構造を実現するので、不正な開封を、より確実に防止することができる。
【００１３】
また、本発明の包装箱では、前記差込みフラップの先端からは、山折りされて、組立て時には該差込みフラップより内方に位置する折返し片を有し、前記第２の舌片は、前記折返し片の基端付近から切起こされることを特徴とする。
【００１４】
上記の構成によれば、包装箱の組立てにあたって、第２の舌片を、わざわざ起こさなくても（癖付けしなくても）、折返し片を差込みフラップから山折りするだけで、その折返し片の基端付近から型抜きなどによって形成されている該第２の舌片は、自然に起きて来る。
【００１５】
したがって、組立て作業を容易に行うことができる。
【００１６】
好ましくは、前記折返し片を前記第２の舌片よりも狭い幅に形成しておくことで、折返し片を山折りすると、その捻りが第２の舌片に伝わり易く、該第２の舌片を、より簡単に起立させることができる。
【００１７】
さらにまた、本発明の包装箱では、前記胴部は、偶数の角筒状であることを特徴とする。
【００１８】
上記の構成によれば、四角筒や六角筒など、蓋が延設される面と、対向する面とを相互に平行とすることができ、差込みフラップを差込む組立て作業を容易に行うことができる。
【００１９】
また、本発明の包装箱では、前記対向する面に隣接する２つの面の少なくとも一方の開口端からは、サイドフラップが延設されることを特徴とする。
【００２０】
上記の構成によれば、サイドフラップによって蓋を背（内）面側から受けることができ、収容物が胴部の長さより短い物でも、蓋が内側に嵌り込んでしまうことを抑えることができる。
【００２１】
さらにまた、本発明の包装箱では、前記サイドフラップには、前記対向する面側の辺から、９０°折り曲げられて該対向する面と平行に延びる押圧片を有することを特徴とする。
【００２２】
上記の構成によれば、押圧片が、前記差込みフラップや折り畳んだ折返し片を前記対向する面側に押返すので、差込みフラップは対向する面に密着し、折返し片は開かずに差込みフラップに密着させておくことができる。
【００２３】
これによって、収容物が胴部の内径に近い大きさの物でも、該収容物を胴部に収容する際に、前記差込みフラップや折返し片が段差となって引掛かることを抑えることができ、スムーズに収容することができる。
【００２４】
また、本発明の包装箱では、前記差込みフラップの蓋との連結部分において、差込みフラップの少なくとも片方の辺からは切込みが形成され、組立て状態で、該切込みが前記サイドフラップにおける前記対向する面側の辺に係合することを特徴とする。
【００２５】
上記の構成によれば、切込みとサイドフラップとの係合によって、蓋を持ち上げ難くなり、不正な開封を、より確実に防止することができる。前記切込みとサイドフラップとの係合部は、差込みフラップの片側に設けられるだけでもよいが、両側に設けられることが好ましい。
【００２６】
さらにまた、本発明の包装箱では、一方の蓋または胴部には、開封のためのミシン目が形成されていることを特徴とする。
【００２７】
上記の構成によれば、不正な開封を防止しつつも、正規な開封は容易に行うことができる。
【００２８】
また、本発明の包装箱では、前記ミシン目は、前記蓋に形成されることを特徴とする。
【００２９】
上記の構成によれば、収容物が胴部の内径に近い大きさの物である場合、該胴部にミシン目が形成されていると開封し難いのに対して、蓋にミシン目を形成することで、開封が容易である。
【００３０】
さらにまた、本発明の包装箱では、前記ミシン目は、前記蓋の幅方向の中心から所定距離だけ外側にずれた位置に一対で、該蓋と胴部との連結部分から、該蓋と差込みフラップとの連結部分に亘って形成され、かつ前記蓋と胴部との連結部分は、前記一対のミシン目間に切込みが形成されることを特徴とする。
【００３１】
上記の構成によれば、蓋と胴部との連結部分における切込みから該蓋を持ち上げることで、両側のミシン目に沿って、該蓋の中央部分が剥がれてゆく。ところで、収容物を確認しようとする場合、蓋の先端、すなわち差込みフラップ側を持ち上げることが多いので、前記の切込みが蓋と差込みフラップとの連結部分に設けられていると、そのような場合に、簡単にミシン目に亀裂が入ってしまう。また、差込みフラップ側は強度的に弱いので、切込みが蓋と差込みフラップとの連結部分に設けられていると、輸送時などにも不所望にミシン目に亀裂が入り易い。
【００３２】
したがって、切込みを蓋と胴部との連結部分側に設けることで、不所望にミシン目に亀裂が入ることなく、正規な開封を容易に行うことができる。
【００３３】
また、本発明の包装箱では、前記蓋と胴部との連結部分から、僅かに胴部寄りにオフセットして、前記切込みが形成されていることを特徴とする。
【００３４】
上記の構成によれば、胴部から蓋を折曲げると、該蓋のミシン目間の部分は、胴部から僅かに突出する。
【００３５】
したがって、その突出部分に指を掛け、ミシン目を容易に切離すことができる。
【００３６】
さらにまた、本発明の包装箱では、前記ミシン目は、前記胴部側から差込みフラップ側となるに連れて、前記所定距離が大きくなってゆくことを特徴とする。
【００３７】
上記の構成によれば、前記ミシン目の間隔が胴部側で狭く、差込みフラップ側で広くなる。
【００３８】
したがって、該ミシン目を、不所望に破断し難く、かつ正規の開封時には破断し易くすることができる。
【００３９】
また、本発明の包装箱では、化粧品のパッケージとして使用されることを特徴とする。
【００４０】
上記の構成によれば、収容物としての化粧品は一般に高価であるので、不正開封防止効果の高い本発明が効果的である。
【発明の効果】
【００４１】
本発明の包装箱は、以上のように、角筒状の胴部と、その胴部の両開口端に設けられる蓋とを備えて構成される包装箱において、蓋の先端から延びて形成される差込みフラップと、それに対向する面とに舌片を設け、差込みフラップが開口端から差し込まれることで該差込みフラップ側の第２の舌片が対向する面側の第１の舌片を乗越え、その後に差込みフラップが開口端から引抜かれようとすると、第２の舌片が第１の舌片に係合させる。
【００４２】
それゆえ、一旦蓋を閉じると、不正な開封を防止することができるとともに、その開封の阻止には、第１の舌片と対向する面との間に第２の舌片が差込まれることになり、第１および第２の舌片において、相互に重なり合う幅同士で、強固な係合構造を実現するので、不正な開封を、より確実に防止することができる。
【図面の簡単な説明】
【００４３】
【図１】本発明の実施の一形態に係る包装箱の構造を示す展開図である。
【図２】図１の包装箱の不正開封防止構造を説明するための組立て中の状態を示す斜視図である。
【図３】本発明の実施の他の形態に係る包装箱の構造を示す展開図である。
【図４】本発明の実施のさらに他の形態に係る包装箱の構造を示す展開図である。
【図５】本発明の実施の他の形態に係る包装箱の構造を示す展開図である。
【図６】従来技術の包装箱の構造を示す展開図である。
【図７】図の包装箱の不正開封防止構造を説明するための組立て状態での断面図である。
【発明を実施するための形態】
【００４４】
（実施形態１）
図１は、本発明の実施の一形態に係る包装箱１の構造を示す展開図である。この包装箱１は、大略的に、四角筒状の胴部１０の両開口端１７を蓋１６，１６ａで閉塞して構成される直方体状の箱で、いわゆるサック箱である。２つの開口端１７側の蓋１６，１６ａに関する構成は、ほぼ共通であるので、対応する部分には同一の参照符号を付して説明する。図１の展開図において、折れ線は、１点鎖線で示している。
【００４５】
胴部１０は、前記四角筒を形成する相互に連結された４つの壁面１１〜１４と、一端の壁面１４の側辺から延びて形成される糊付け面１５とを備えて構成される。糊付け面１５の表面には、たとえば領域１５１の部分に、サックマシーンにおいて糊が塗布されるとともに、該サックマシーンによって、この包装箱１は、展開状態（組立て前）から、各壁面１１〜１５間の連結部（境界）を山折りし、前記糊付け面１５を他端の壁面１１の裏面に重合わせることで、糊付けされ、四角筒状の胴部１０が完成する。
【００４６】
完成した包装箱１は、シート状に潰されて（畳まれて）おり、複数枚が積層されて梱包され、顧客（収容物の充填先）へ出荷される。顧客においては、包装箱１は、立体に立上げられ、蓋１６，１６ａや後述するサイドフラップ２５などが折曲げられた後、収容物が充填され、蓋１６，１６ａが閉じられる。
【００４７】
前記サック箱であるので、この包装箱１では、蓋１６，１６ａは、展開状態で、１つの壁面１２の両開口端１７から相互に離反方向に延びて形成され、組立て状態では前記壁面１２から９０°折り曲げられる。そして、本実施形態の包装箱１では、組立て状態で壁面１２に対向する壁面１４には、開口端１７から延び、組立て状態では内側に折返される第１の舌片２１が形成される。一方、蓋１６，１６ａの先端からは、差込みフラップ２２が形成される。さらに、差込みフラップ２２には、該包装箱１の型抜き時に形成され、切起しによって、その先端２２１側から基端２２２側に向けて延び、蓋１６，１６ａを閉めた状態で対向する壁面１４側に突出している第２の舌片２３が形成される。
【００４８】
したがって、これらの第１および第２の舌片２１，２３は、係合構造を構成し、図２で示すように、差込みフラップ２２が開口端１７から差し込まれてゆくと、第２の舌片２３が第１の舌片２１を乗越え、蓋１６，１６ａが閉塞されることになる。その後に、蓋１６，１６ａが引上げられ、差込みフラップ２２が開口端１７から引抜かれようとすると、第２の舌片２３が第１の舌片２１に係合する。こうして、一旦蓋１６，１６ａを閉じると、不正な開封を防止することができるとともに、その開封の阻止には、第１の舌片２１と、壁面１４との間に第２の舌片２３が差込まれることになり、第１および第２の舌片２１，２２において、相互に重なり合う幅同士で、強固な係合構造を実現することができる。これによって、包装箱１の不正な開封を、より確実に防止することができる。
【００４９】
また、本実施形態の包装箱１では、差込みフラップ２２の先端２２１からは、山折りされて、組立て時には該差込みフラップ２２より内方に位置する折返し片２４が形成されている。したがって、差込みフラップ２２の基端２２２側から形成される第２の舌片２３は、この折返し片２４の基端２４１付近から切起こされるので、包装箱１の組立てにあたって、第２の舌片２３を、わざわざ起こさなくても（癖付けしなくても）、折返し片２４を差込みフラップ２２から山折りするだけで、該第２の舌片２３は、自然に起きて来る。これによって、組立て作業を容易に行うことができる。
【００５０】
さらにまた、本実施形態の包装箱１では、壁面１４に隣接する２つの壁面１１，１３の少なくとも一方（図１の例では両方）の開口端１７からは、サイドフラップ２５が延設されている。したがって、このサイドフラップ２５によって、蓋１６，１６ａを背（内）面側から受けることができ、収容物が胴部１０の長さより短い物でも、蓋１６，１６ａが内側に嵌り込んでしまうことを抑えることができる。
【００５１】
さらにまた、本実施形態の包装箱１では、差込みフラップ２２の蓋１６，１６ａとの連結部分２２３において、差込みフラップ２２の少なくとも片方（図１の例では両方）の辺２２４からは、切込み２６が形成されている。この切込み２６は、組立て状態で、サイドフラップ２５における壁面１４側の辺２５１に係合する。したがって、この切込み２６とサイドフラップ２５との係合によって、蓋１６，１６ａを持ち上げ難くなり、不正な開封を、より確実に防止することができる。この切込み２６とサイドフラップ２５との係合部は、差込みフラップ２２の片側に設けられるだけでもよいが、図１の例のように、両側に設けられることが好ましい。
【００５２】
また、本実施形態の包装箱１では、一方の蓋１６ａには、開封のためのミシン目２７が形成されている。これによって、不正な開封を防止しつつも、正規な開封は容易に行うことができる。このミシン目２７は、特許文献１のように、胴部１０に形成されてもよいが、その場合、収容物が胴部１０の内径に近い大きさの物である場合、開封し難い（ミシン目２７付近を押込んで破断させることができない）のに対して、蓋１６ａにミシン目２７を形成することで、開封が容易である。
【００５３】
そして、そのミシン目２７は、蓋１６ａの幅方向の中心線２８から所定の距離Ｄ２だけ外側にずれた位置に一対で、該蓋１６ａと胴部１０（壁面１２）との連結部分２２４から、該蓋１６ａと差込みフラップ２２との連結部分２２３に亘って形成され、かつ前記連結部分２２３において、一対のミシン目２７間には、切込み２９が形成されている。したがって、蓋１６ａと胴部１０との連結部分２２４における切込み２９から該蓋１６ａを持ち上げることで、両側のミシン目２７に沿って、該蓋１６ａの中央部分１６１が剥がれてゆく。
【００５４】
ところで、包装箱１内の収容物を確認しようとする場合、蓋１６ａの先端、すなわち差込みフラップ２２との連結部分２２３側を持ち上げることが多いので、切込み２９が蓋１６ａと差込みフラップ２２との連結部分２２３に設けられていると、そのような場合に、簡単にミシン目に亀裂が入ってしまう。また、差込みフラップ２２側は強度的に弱く、切込み２９が蓋１６ａと差込みフラップ２２との連結部分２２３に設けられていると、輸送時などにも不所望にミシン目２７に亀裂が入り易い。そこで、上述のように、切込み２９を蓋１６ａと胴部１０（壁面１２）との連結部分２２４側に設けることで、不所望にミシン目２７に亀裂が入ることなく、正規な開封を容易に行うことができる。
【００５５】
さらに、前記切込み２９は、蓋１６ａと胴部１０（壁面１２）との連結部分２２４から、距離Ｄ３だけ、僅かに胴部１０（壁面１２）寄りにオフセットして形成されている（型抜きされている）。これによって、胴部１０（壁面１２）から蓋１６ａを折曲げると、該蓋１６ａのミシン目２７間の部分は、胴部１０（壁面１２）から僅かに突出するので、その突出した部分に指先や爪先を引掛け、ミシン目２７を容易に切離すことができる。
【００５６】
なお、胴部１０は、三角筒や五角筒などに形成されてもよいが、本実施形態のように四角筒や、六角筒などの偶数の角筒状に形成されることが好ましい。それによれば、蓋１６，１６ａが延設される壁面（図１では１２）と、対向する壁面（図１では１４）とを相互に平行とすることができ、差込みフラップ２２を差込む組立て作業を容易に行うことができる。また、２つの蓋１６，１６ａが、同じ壁面（図１では１２）に設けられていなくてもよく、たとえば一方の蓋１６が反対の壁面１４に設けられ、対向する第１の舌片２１が壁面１２側に設けられてもよい。
（実施形態２）
図３は、本発明の実施の他の形態に係る包装箱３の構造を示す展開図である。この包装箱３は、上述の包装箱１に類似し、対応する部分には同一の参照符号を付して、その説明を省略する。注目すべきは、この包装箱１では、ミシン目２７の形成されていない側の蓋１６周りの構造が異なることである。具体的には、サイドフラップ２５ａには、壁面１４側の辺から、９０°折り曲げられて該壁面１４と平行に延びる押圧片３１が形成されていることである。そのため、材料の型抜きの関係で（押圧片３１に使用するために）、サイドフラップ２１ａの幅が狭くなっている。
【００５７】
したがって、該包装箱３を組立てると、押圧片３１は、差込みフラップ２２や折り畳んだ折返し片２４を壁面１４側に押返す。これによって、差込みフラップ２２は壁面１４に密着し、折返し片２４は開かずに差込みフラップ２２に密着させておくことができ、収容物が胴部１０の内径に近い大きさの物でも、該収容物を胴部１０に収容する際に、差込みフラップ２２や折返し片２４が段差となって引掛かることを抑えることができ、スムーズに収容することができる。
（実施形態３）
図４は、本発明の実施のさらに他の形態に係る包装箱４の構造を示す展開図である。この包装箱４は、前述の包装箱１，３に類似している。注目すべきは、この包装箱４では、蓋１６ｂにおいて、一対のミシン目２７ａは、胴部１０（壁面１２）側から差込みフラップ２２側となるに連れて、距離Ｄ２が大きくなってゆくことである。すなわち、ミシン目２７ａの間隔が、胴部１０（壁面１２）側で狭く、差込みフラップ２２側で広くなっている。
【００５８】
そして、胴部１０（壁面１２）と蓋１６ｂとの連結部分２２４には、切込み２９ａが形成されているので、該ミシン目２７ａを、不所望に破断し難く、かつ正規の開封時には破断し易くすることができる。
（実施形態４）
図５は、本発明の実施の他の形態に係る包装箱３ａの構造を示す展開図である。この包装箱３ａは、前述の包装箱３に類似している。注目すべきは、この包装箱３ａでは、折返し片２４ａの幅Ｄ４が第２の舌片２３の幅Ｄ５よりも狭い幅に形成されることである。このように構成することで、折返し片２４ａを山折りすると、その捻りが第２の舌片２３に伝わり易く、該第２の舌片２３を、より簡単に起立させることができる。
【００５９】
上述のように不正開封防止効果の高い本実施形態の包装箱１，３，４は、収容物として高価な化粧品のパッケージに、好適である。収容物としては、化粧液を収容した筒や、口紅などであり、口紅の場合、図１および図２で示す包装箱１および図３で示す包装箱３の高さは約８０ｍｍ、図４で示す包装箱４の場合は約１３０ｍｍである。
【符号の説明】
【００６０】
１，３，３ａ，４    包装箱
１０    胴部
１１〜１４    壁面
１５    糊付け面
１６，１６ａ，１６ｂ    蓋
１７    開口端
２１，２１ａ    第１の舌片
２２    差込みフラップ
２２３，２２４    連結部分
２３    第２の舌片
２４，２４ａ    折返し片
２５，２５ａ    サイドフラップ
２６    切込み
２７，２７ａ    ミシン目
２９，２９ａ    切込み
【図１】
2016199304.tif 000003
【図２】
2016199304.tif 000004
【図３】
2016199304.tif 000005
【図４】
2016199304.tif 000006
【図５】
2016199304.tif 000007
【図６】
2016199304.tif 000008
【図７】
2016199304.tif 000009